(57)【要約】【課題】  封筒の搬送速度が変更されても、該封筒のフラップ部への封緘材の塗布性能を満足させるための技術を提供すること。【解決手段】  封緘材を補給するために、搬送される封筒のフラップ部に接触して封緘材を塗布する塗布手段が、封緘材を収容する収容手段に侵入する侵入量を、封筒が搬送される搬送速度に応じて変更する。【選択図】  図３
2019218153.tif 000002
【特許請求の範囲】
【請求項１】
封緘材を収容する収容手段と、
搬送される封筒のフラップ部に接触して封緘材を塗布する塗布手段と、
封緘材を補給するために前記塗布手段が前記収容手段に侵入する侵入量を、前記封筒が搬送される搬送速度に応じて変更する制御手段と
を備えることを特徴とする搬送装置。
【請求項２】
前記制御手段は、前記搬送速度が高くなるほど、前記収容手段への前記塗布手段の侵入量が大きくなるように制御することを特徴とする請求項１に記載の搬送装置。
【請求項３】
前記塗布手段は、一端を回動させて他端が前記収容手段へ侵入するように構成され、前記制御手段は、前記塗布手段の回動量を変更することで侵入量を変更することを特徴とする請求項１または請求項２に記載の搬送装置。
【請求項４】
前記制御手段は、前記収容手段の位置を変更することで、前記塗布手段の侵入量を変更することを特徴とする請求項１または請求項２に記載の搬送装置。
【請求項５】
前記塗布手段は、前記封筒の搬送方向に向けて長さが長くなるブラシであることを特徴とする請求項１乃至３の何れか１項に記載の搬送装置。
【請求項６】
請求項１乃至５の何れか１項に記載の搬送装置と、前記搬送装置が搬送する封筒に印刷する印刷手段と、を備えることを特徴とする記録装置。
【発明の詳細な説明】
【技術分野】
【０００１】
本発明は、フラップ部を有する封筒を搬送する搬送装置に関するものである。
【背景技術】
【０００２】
封筒のフラップ部に封緘材を塗布するための構成として、例えば特許文献１には、封筒記録装置の搬送経路内に粘着膜付着機構とフラップ部押圧機構とを設け、搬送中に粘着膜をフラップ部に貼り付けた後、押圧によりフラップ部を張り付ける構成が開示されている。
【０００３】
また、特許文献２に開示されている構成は、同様の目的をさらに精度よく達成させるために、印字位置を検出する印字位置ずれ検出装置と、検出結果に応じて塗布位置を制御できる封緘材塗布位置制御装置と、を備えている。
【先行技術文献】
【特許文献】
【０００４】
【特許文献１】特開平7-16957号公報
【特許文献２】特開2014-162603号公報
【発明の概要】
【発明が解決しようとする課題】
【０００５】
しかしながら、このような装置は搬送速度によらず定量の封緘材を塗布するため、封筒の搬送速度の違いによる塗布性能のバラつきが発生するおそれがある。
【０００６】
本発明では、封筒の搬送速度が変更されても、該封筒のフラップ部への封緘材の塗布性能を満足させるための技術を提供する。
【課題を解決するための手段】
【０００７】
本発明は、封緘材を収容する収容手段と、搬送される封筒のフラップ部に接触して封緘材を塗布する塗布手段と、封緘材を補給するために前記塗布手段が前記収容手段に侵入する侵入量を、前記封筒が搬送される搬送速度に応じて変更する制御手段とを備えることを特徴とする。
【発明の効果】
【０００８】
本発明によれば、封筒の搬送速度が変更されても、該封筒のフラップ部への封緘材の塗布性能を満足させることができる。
【図面の簡単な説明】
【０００９】
【図１】封筒記録装置１の外観例を示す図。
【図２】封筒記録装置１における印刷機能及び封緘材の塗布機能に係る主要な構成を示す図。
【図３】封筒の搬送路を説明する図。
【図４】給紙搬送モータ５４との連結駆動列を示す図。
【図５】ブラシユニット３１の封緘材吸収体７１への侵入例を示す図。
【図６】各モードにおけるブラシユニット３１を通る封筒を示す図。
【図７】回転ブラシ７５の外観例を示す図。
【図８】封筒記録装置１が封筒積載部３０から搬送されてきた封筒に対して行う処理のフローチャート。
【図９】メインコントローラユニット８の構成例を示す図。
【図１０】カム８１を説明する図。
【図１１】各モードにおけるカム８１の回転例を示す図。
【図１２】カム８１と駆動クラッチ８０とを示す図。
【図１３】封筒記録装置１が封筒積載部３０から搬送されてきた封筒に対して行う処理のフローチャート。
【図１４】ブラシユニット３１のブラシ形状例を示す図。
【発明を実施するための形態】
【００１０】
以下、添付図面を参照し、本発明の実施形態について説明する。
【００１１】
［第１の実施形態］
本実施形態では、搬送装置の一例として、封筒のフラップ部に封緘材を塗布して搬送する搬送装置を備えた封筒記録装置１について、図１，２を用いて説明する。図１は、封筒記録装置１の外観例を示す図、図２は、封筒記録装置１における封緘材の塗布機能及び印刷機能に係る主要な構成を示す図である。
【００１２】
印字前の封筒はユーザによって封筒積載部３０に積載される。封筒積載部３０には、該封筒積載部３０に積載されている封筒を、該封筒の搬送方向と直交する方向に規制するためのサイドガイド７が設けられており、封筒サイズに応じて位置調整が可能になっている。また、封筒積載部３０には、該封筒積載部３０に封筒が積載されているか否かを検知するための光学センサと回動フラグからなる封筒有無検知部１５が備わっている。封筒記録装置１は、給紙搬送モータ５４、連結ギア、ベルトによって給送ローラを駆動させて、封筒積載部３０に積載されている最下の封筒を分離搬送ユニット４０に向けて搬送する。給紙搬送モータ５４の回転角は、円形のスリットタイプのエンコーダ５６（図４）と、発光部及び受光部を有する光学式センサ５７（図４）と、を用いて制御可能であり、ユーザが指定した搬送速度に対応した回転数で稼働する。分離搬送ユニット４０は、搬送ローラとリタードローラからなるローラ対で構成され、封筒積載部３０から搬送されてきた封筒を単枚に裁いて後段の搬送ユニット４に向けて搬送する。
【００１３】
分離搬送ユニット４０から搬送されてきた封筒は、搬送ユニット４の搬送支持面より凸方向にせり出した搬送ローラ対によりモイスナーユニット２８へ搬送される。
【００１４】
モイスナーユニット２８は、搬送ユニット４の搬送経路内に、封筒記録装置１に対して着脱可能に装着されるものであって、図３に示す如く、封筒のフラップ部に封緘材を塗布するブラシユニット３１と、搬送ユニット４からの封筒の搬送路としての２つの搬送路（第１の搬送路６０及び第２の搬送路６１）と、を有する。
【００１５】
ユーザが搬送路切替レバー６７を操作すると、一端に回動支点６５（図５）を有するフラッパ１８が図３に示す如く上下して、搬送ユニット４からの封筒の搬送路を第１の搬送路６０若しくは第２の搬送路６１に切り替える。搬送ユニット４からの封筒の搬送路を第２の搬送路６１に切り替えた場合、図３（ａ）に示す如く、搬送ユニット４から搬送されてきた封筒は第２の搬送路６１を通ってブラシユニット３１と接触することなくモイスナーユニット２８を通過するため、該封筒のフラップ部には封緘材は塗布されない。一方、搬送ユニット４からの封筒の搬送路を第１の搬送路６０に切り替えた場合、図３（ｂ）に示す如く、搬送ユニット４から搬送されてきた封筒は第１の搬送路６０を通ってブラシユニット３１において封緘材が付着している箇所にフラップ部が接触してモイスナーユニット２８を通過するため、該封筒のフラップ部には封緘材が塗布される。
【００１６】
なお、ユーザは、フラップ部への封緘材の塗布要否を、封筒の搬送開始動作よりも前に、封筒記録装置１の奥側に配置される搬送路切替レバー６７によって選択する。以下では、ユーザは搬送路切替レバー６７を操作して、搬送ユニット４からの封筒の搬送路を第１の搬送路６０に切り替えたものとして説明する。
【００１７】
モイスナーユニット２８を通過した封筒は印刷ユニット５に搬送される。印刷ユニット５は、搬送されてきた封筒に対して切手や二次元バーコード等の郵便情報を印刷し、該印刷を行った封筒を排出部１２に排出する。
【００１８】
入力表示部１０は、ユーザが各種の指示入力を行うために操作する操作部と、各種の情報を表示可能な表示部と、を有する。操作部は、例えば、印刷指示や各種の設定指示（例えば、印字内容に関する設定、通紙しようとしている封筒の寸法の設定、封筒の搬送速度の設定）を入力するためのボタン群を有する。
【００１９】
なお、入力表示部１０を用いて搬送速度をどのように設定するのかについては様々な方法があり、特定の方法に限らない。例えば、ユーザは、本体動作音を考慮して搬送速度を通常速度よりも遅くした低速搬送モード（静音モード）、印字生産性を優先して搬送速度を通常速度よりも早くした高速搬送モード（高速モード）、搬送速度を通常速度とする通常搬送モード、の何れかを操作部を操作して指定し、該設定したモードに対応付けられている搬送速度が設定される。そしてユーザが操作部に含まれているスタートキーを押下すると、封筒記録装置１は、封筒積載部３０に積載されている封筒を搬送して上記の動作を行って印字済みの封筒を排出部１２に出力する。なお、封筒積載部３０に積載する封筒の向きは、印字だけであれば任意であるが、フラップ部を封緘させる場合は、フラップ部を搬送面側かつ装置奥側にして積載させる。
【００２０】
印刷ユニット５は、図９に例示する構成を有するメインコントローラユニット８を有している。
【００２１】
ＣＰＵ７０１は、ＲＡＭ７０２に格納されているコンピュータプログラムやデータを用いて処理を実行することで、封筒記録装置１全体の動作制御を行うと共に、封筒記録装置１が行うものとして後述する各処理を実行若しくは制御する。
【００２２】
ＲＡＭ７０２は、ＲＯＭ７０３や不揮発性メモリ７０４からロードされたコンピュータプログラムやデータ、Ｉ／Ｆ７０５を介して入力表示部１０から入力された各種の情報を格納するためのエリアを有する。更にＲＡＭ７０２は、ＣＰＵ７０１が各種の処理を実行する際に用いるワークエリアを有する。このようにＲＡＭ７０２は、各種のエリアを適宜提供することができる。
【００２３】
ＲＯＭ７０３には、封筒記録装置１の起動プログラムや書換不要のデータなどが格納されている。
【００２４】
不揮発性メモリ７０４には、ユーザが設定した各種の設定データなどが保存されている。
【００２５】
Ｉ／Ｆ７０５には、上記の入力表示部１０や、各種のモータ、エンコーダなど、ＣＰＵ７０１による制御対象としての様々なデバイスが接続されている。
【００２６】
ＣＰＵ７０１、ＲＡＭ７０２、ＲＯＭ７０３、不揮発性メモリ７０４、Ｉ／Ｆ７０５、は何れもバス７０６に接続されている。
【００２７】
次に、モイスナーユニット２８についてより詳細に説明する。ブラシユニット３１は、図５に示す如く、回動支点６５を中心に付勢部材で押圧されており、ブラシユニット３１の対向側には、封緘材を収容する収容手段としての封緘材タンク７０と、封緘材タンク７０に収容されている封緘材をブラシユニット３１に供給するためのスポンジ等からなる封緘材吸収体７１と、が設けられている。ブラシユニット３１の一部が封緘材吸収体７１に触れている限りは、封緘材吸収体７１からブラシユニット３１に封緘材が供給され続ける。然るに、ブラシユニット３１の一部（先端部）が封緘材吸収体７１に触れている状態で封筒が第１の搬送路６０を通ると、封緘材が供給されている先端部が封筒のフラップ部に接触するため、封筒はフラップ部に封緘材が塗布された状態でモイスナーユニット２８を通過することになる。
【００２８】
次に、封筒記録装置１が封筒積載部３０から搬送されてきた封筒に対して行う処理について、同処理のフローチャートを示す図８に従って説明する。図8も下記ステップの変更に合わせて修正下さい。
【００２９】
ステップＳ８０１では、メインコントローラユニット８のＣＰＵ７０１は、ユーザが設定した搬送速度の設定モードが、低速搬送モード（モードＡ）、高速搬送モード（モードＢ）、通常搬送モード（モードＣ）の何れであるのかを判断する。この判断の結果、ユーザが設定した搬送速度の設定モードがモードＡであれば、処理はステップＳ８０２に進み、モードＢであれば、処理はステップＳ８０４に進み、モードＣであれば、処理はステップＳ８０６に進む。
【００３０】
ステップＳ８０２では、ＣＰＵ７０１は、後述する切替クラッチをＯＮにし、ステップＳ８０３では、ＣＰＵ７０１は、給紙搬送モータ５４の回転でブラシユニット３１をθ１だけ回転（回動）させるための時間Ｘ１をカウントすることで、該θ１に応じた量だけブラシユニット３１を封緘材タンク７０内に侵入させて該ブラシユニット３１を封緘材吸収体７１に接触させる。カウントが終了したか判断し、カウントが終了すると切替クラッチをＯＦＦにする。 
ここで、切替クラッチについて説明する。図４に示す如く、給紙搬送モータ５４との連結駆動列の中には切替クラッチ５８が設けられており、ＣＰＵ７０１は切替クラッチ５８をＯＮにすると、給紙搬送モータ５４の回転がブラシユニット３１の回動軸３６（図３）に伝達されるため、給紙搬送モータ５４の回転に応じてブラシユニット３１が回動する。本実施形態では、切替クラッチ５８は、電磁クラッチであるものとする。
【００３１】
図５の塗布部拡大図に示す如く、ブラシユニット３１を時計回りにθだけ回動させると、回動前よりもブラシユニット３１を封緘材タンク７０内に侵入させることができるため、結果として回動前よりもブラシユニット３１のより広い面積の先端部が封緘材吸収体７１と接触することになり、より多くの封緘材をブラシユニット３１に供給することができる。
【００３２】
本実施形態では、モードに応じてθの値を変更する。より具体的には、（高速搬送モードにおけるθの値）＞（通常搬送モードにおけるθの値）＞（低速搬送モードにおけるθの値）とする。ここで、フラップ部への封緘材の塗布量は搬送速度によらず一定であることが望ましい。本実施形態では、封緘材の塗布状態を定量化するため、「封緘材吸収体７１からブラシユニット３１へ吸収された封緘材が、フラップ部における単位面積当たりの領域に移動した量」を示す塗布量で管理している。この塗布量が不足しているとフラップ部の封緘が不十分になり、逆に過塗布だとフラップ部外へはみだした封緘材が、排出部１２における連続積載で貼りついて封筒にダメージを与えたり、封筒内部で飽和した封緘材が内容物へ浸透し、内容物を傷付けてしまう、といった問題がある。
【００３３】
本実施形態では、ブラシユニット３１をフラップ部へ接触させて封緘材を塗布しているため、ブラシユニット３１のフラップ部への接触時間は塗布量と関連性が高く、特に単位時間あたりの塗布量に直結する搬送速度とフラップ部へのブラシユニット３１の侵入量（接触面積）は重要なパラメータになる。仮にブラシの侵入量が一定だとすると、通常搬送モードに対し、高速搬送モードではブラシユニット３１のフラップ部との接触時間が短くなるため、塗布量が少なくなってしまい、逆に低速搬送モードの場合は、ブラシユニット３１のフラップ部との接触時間が多くなるため、塗布量が多くなる。こうしたことから、封筒の搬送速度に応じた封緘材塗布量の調整は必要不可欠である。
【００３４】
よって、本実施形態では、（高速搬送モードにおけるθの値）＞（通常搬送モードにおけるθの値）＞（低速搬送モードにおけるθの値）とし、封筒の搬送速度がより早い場合には、より多くの封緘材をブラシユニット３１に供給するべくブラシユニット３１の角度をより大きくして封緘材吸収体７１へのブラシユニット３１の侵入量を大きくし、封筒の搬送速度がより遅い場合には、より少ない封緘材をブラシユニット３１に供給するべくブラシユニット３１の角度をより小さくして封緘材吸収体７１へのブラシユニット３１の侵入量を小さくする（図６）。これにより、フラップ部への封緘材塗布量は搬送速度に応じた最適な量となる。なお、それぞれのモードにおけるθの値は、該モードにおいて封緘材吸収体７１に対するブラシユニット３１の侵入量として予め求めた侵入量に対応するものである。
【００３５】
然るに上記のステップＳ８０３では、ＣＰＵ７０１は、ブラシユニット３１の回動量としてモードＡに対応するθであるθ１回動するため、Ｘ１時間だけ給紙搬送モータ５４の回転を切替クラッチ５８により接続させることで、該θ１に応じた量だけブラシユニット３１を封緘材タンク７０内に侵入させて該ブラシユニット３１を封緘材吸収体７１に接触させる。なお、切替クラッチ５８はＸ１時間経過するとＯＦＦする。
【００３６】
ステップＳ８０４では、ＣＰＵ７０１は、切替クラッチ５８をＯＮにし、ステップＳ８０５では、ＣＰＵ７０１は、ブラシユニット３１の回動量としてモードＢに対応するθであるθ２回動するため、Ｘ２時間だけ給紙搬送モータ５４の回転を切替クラッチ５８により接続させることで、該θ２に応じた量だけブラシユニット３１を封緘材タンク７０内に侵入させて該ブラシユニット３１を封緘材吸収体７１に接触させる。なお、切替クラッチ５８はＸ２時間経過するとＯＦＦする。
【００３７】
ステップＳ８０６では、ＣＰＵ７０１は、切替クラッチ５８をＯＮにし、ステップＳ８０７では、ＣＰＵ７０１は、ブラシユニット３１の回動量としてモードＣに対応するθであるθ３回動するため、Ｘ３時間だけ給紙搬送モータ５４の回転を切替クラッチ５８により接続させることで、該θ３に応じた量だけブラシユニット３１を封緘材タンク７０内に侵入させて該ブラシユニット３１を封緘材吸収体７１に接触させる。なお、切替クラッチ５８はＸ３時間経過するとＯＦＦする。
【００３８】
ステップＳ８０８では、ＣＰＵ７０１は、ユーザが入力表示部１０における操作部を操作して印刷開始指示を入力したか否かを判断する。この判断の結果、印刷開始指示が入力された場合には、処理はステップＳ８０９に進み、印刷開始指示が入力されていない場合には、処理はステップＳ８０８で待機する。
【００３９】
ステップＳ８０９では、ＣＰＵ７０１は、上記の通り、各ユニットを駆動させて封筒の搬送、フラップ部への封緘材の塗布、を実施して排出部１２に排出する。
【００４０】
このように、本実施形態によれば、封筒の搬送速度に応じて封筒のフラップ部への封緘材の塗布量を制御するため、複数の搬送速度から所望の搬送速度を選択できる封筒記録装置であっても、封筒封緘性能のバラつきが少ない搬送装置が提供できる。
【００４１】
［第２の実施形態］
本実施形態を含む以下の各実施形態では、第１の実施形態との差分について説明し、以下で特に触れない限りは第１の実施形態と同様であるものとする。
【００４２】
ブラシユニット３１の代わりに、図７に示す如く、フラップ部に当接する当接面を外周とし、略円筒形状の中心軸を中心に回転することでフラップ部に封緘材を塗布する円筒形の回転ブラシ７５を用いても良く、その場合、封筒の搬送速度に応じてフラップ部に対する外周面の侵入量を可変させることでも同様の効果が得られる。
【００４３】
［第３の実施形態］
本実施形態では、第１，２の実施形態と異なる封緘材の塗布量制御を行う。第１の実施形態に係るブラシユニット３１は、一端に回動中心をもつ弾性体である。このブラシユニット３１のブラシ形状は、図１４に示す如く、ブラシ根元から先端に向かって異なる２種類の長さで構成されても良く、例えば、封筒の搬送方向下流側を長く、搬送方向上流側を短くしても良い。このようなブラシユニット３１の場合、例えば、短いブラシの部分を封緘材吸収体７１に当接させてフラップ部に封緘材を塗布する場合と、短いブラシの部分を封緘材吸収体７１に当接させないでフラップ部に封緘材を塗布する場合と、でフラップ部に対する塗布量を増減させることができる。またブラシの長さについては、通紙方向に直交する方向に長さの異なる複数の塗布面を備えるようしても、同様の効果は得られる。
【００４４】
また、封筒の搬送速度に応じて封緘材タンク７０を上下動させることで、搬送速度に応じてブラシユニット３１の封緘材吸収体７１への侵入量を変更するようにしても良い。例えば、図１０に示す如く、封緘材タンク７０の底面に対して下方からカム８１を当接させ、カム８１の回転角度によって封緘材タンク７０をユニットごと上下動可能にする。このカム８１は図１２に示す如く駆動クラッチ８０に取り付けられており、該駆動クラッチ８０は、給紙搬送モータ５４との連結駆動列の中に設けられたものである。ＣＰＵ７０１が駆動クラッチ８０をＯＮにすると、駆動クラッチ８０の回転はカム８１の回転と同期しているため、給紙搬送モータ５４の回転に応じて駆動クラッチ８０及びカム８１も回転する。本実施形態では、駆動クラッチ８０は、電磁クラッチであるものとする。
【００４５】
つまり、給紙搬送モータ５４の回転によりカム８１を回転させることで封緘材タンク７０を上下動させることができる。本実施形態では、駆動クラッチ８０をＯＮにして給紙搬送モータ５４を搬送速度に応じた回転角に回転させることで、封緘材タンク７０を搬送速度に応じた位置（上下方向の位置）に移動させる。
【００４６】
低速搬送モードの場合、図１１（ａ）に示す如くカム８１を回転させず、通常搬送モードの場合、図１１（ｂ）に示す如くカム８１を時計回りに対応する角度αだけ回転させ、高速搬送モードの場合、図１１（ｃ）に示す如くカム８１を時計回りに対応する角度β（＞α）だけ回転させる。その結果、低速搬送モードの場合は、通常搬送モードの場合と比べて封緘材タンク７０の上下方向位置がより低い位置となり、その結果、封緘材吸収体７１へのブラシユニット３１の侵入量が通常搬送モードよりも小さくなる。一方、高速搬送モードの場合は、通常搬送モードの場合と比べて封緘材タンク７０の上下方向位置がより高い位置となり、その結果、封緘材吸収体７１へのブラシユニット３１の侵入量が通常搬送モードよりも大きくなる。
【００４７】
なお、封緘材タンク７０の上下位置については、カム８１の回転角を検出する透過型回転角度検出センサで検知した該回転角から求めるものとするが、封緘材タンク７０の上下位置を直接センサなどで計測するようにしても良い。
【００４８】
次に、封筒記録装置１が封筒積載部３０から搬送されてきた封筒に対して行う処理について、同処理のフローチャートを示す図１３に従って説明する。
【００４９】
ステップＳ１５０１では、メインコントローラユニット８のＣＰＵ７０１は、第１の実施形態のステップＳ８０１と同様に、ユーザが設定した搬送速度の設定モードが、低速搬送モード（モードＡ）、高速搬送モード（モードＢ）、通常搬送モード（モードＣ）の何れであるのかを判断する。この判断の結果、ユーザが設定した搬送速度の設定モードがモードＣであれば、処理はステップＳ１５０２に進み、モードＢであれば、処理はステップＳ１５０４に進み、モードＡであれば、処理はステップＳ１５０６に進む。
【００５０】
ステップＳ１５０２では、ＣＰＵ７０１は、駆動クラッチ８０をＯＮにし、ステップＳ１５０３では、ＣＰＵ７０１は、給紙搬送モータ５４の駆動をＸα時間だけ接続させることで、カム８１をαだけ回転させ、駆動クラッチ８０をＯＦＦする。それにより、封緘材タンク７０の上下方向の位置を上方に移動させる。
【００５１】
一方、ステップＳ１５０４では、ＣＰＵ７０１は、駆動クラッチ８０をＯＮにし、ステップＳ１５０５では、ＣＰＵ７０１は、給紙搬送モータ５４の駆動をＸβ時間だけ接続させることで、カム８１をβだけ回転させ、駆動クラッチ８０をＯＦＦする。それにより、封緘材タンク７０の上下方向の位置を上方に移動させる。
【００５２】
ステップＳ１５０６では、ＣＰＵ７０１は、ユーザが入力表示部１０における操作部を操作して印刷開始指示を入力したか否かを判断する。この判断の結果、印刷開始指示が入力された場合には、処理はステップＳ１５０７に進み、印刷開始指示が入力されていない場合には、処理はステップＳ１５０６で待機する。
【００５３】
ステップＳ１５０７では、ＣＰＵ７０１は、上記の通り、各ユニットを駆動させて封筒の搬送、フラップ部への封緘材の塗布、を実施して排出部１２に排出する。
【００５４】
このように、本実施形態によれば、封筒の搬送速度に応じて封筒のフラップ部への封緘材の塗布量を制御するため、複数の搬送速度から所望の搬送速度を選択できる封筒記録装置であっても、封筒封緘性能のバラつきが少ない搬送装置が提供できる。
【００５５】
なお、以上説明した各実施形態の一部若しくは全部を適宜組み合わせて使用しても構わないし、以上説明した各実施形態の一部若しくは全部を選択的に使用しても構わない。
【符号の説明】
【００５６】
１：封筒記録装置  ２８：モイスナーユニット  ３０：封筒積載部  ３１：ブラシユニット  ５４：給紙搬送モータ  ６０：第１の搬送路  ６１：第２の搬送路  ６７：搬送路切替レバー  ７０：封緘材タンク  ７１：封緘材吸収体
【図１】
2019218153.tif 000003
【図２】
2019218153.tif 000004
【図３】
2019218153.tif 000005
【図４】
2019218153.tif 000006
【図５】
2019218153.tif 000007
【図６】
2019218153.tif 000008
【図７】
2019218153.tif 000009
【図８】
2019218153.tif 000010
【図９】
2019218153.tif 000011
【図１０】
2019218153.tif 000012
【図１１】
2019218153.tif 000013
【図１２】
2019218153.tif 000014
【図１３】
2019218153.tif 000015
【図１４】
2019218153.tif 000016